(57)【要約】【課題】異なった位置における複数のセンサとコントローラとの間の新しくかつ改良された通信ネットワークを提供し、離隔した遠隔地で侵入及び侵入情報を監視及び報告するために複数の検知ディスプレイ、信号、及びプロンプトを利用する侵入検出及び報告システムを提供する。【解決手段】システムは、侵入を検出するための少なくとも１つのセンサ１２と、ラジオネットワークを経由して少なくとも１つのセンサと通信し、ディスプレイ２４を有するコントローラ１４とを含み、侵入の検出に応答して、少なくとも１つのセンサは侵入に関する時間情報及び位置情報を、ラジオネットワークを経由してコントローラへ送信し、そしてディスプレイは時間情報及び位置情報をユーザに示す。センサがイメージセンサならば、記録される視覚的イメージが送信され、ディスプレイ上で示される。【選択図】図１
2008293471.tif 000002
【特許請求の範囲】
【請求項１】
侵入を検出するための少なくとも１つのセンサと、
ラジオネットワークを経由して前記少なくとも１つのセンサと通信し、ディスプレイを有する前記コントローラと、
を含み、
侵入の検出に応答して、前記少なくとも１つのセンサは前記侵入に関する時間情報及び位置情報を前記ラジオネットワーク経由して前記コントローラへ送信し、そして前記ディスプレイは前記時間情報及び位置情報をユーザへ示す、
侵入検出及び報告システム。
【請求項２】
前記少なくとも１つのセンサは、前記侵入のイメージを捕捉し、そして前記侵入の前記イメージを前記コントローラへ送信する、請求項１に記載のシステム。
【請求項３】
前記侵入のイメージは、前記ユーザによって前記ディスプレイ上で見られる、請求項２に記載のシステム。
【請求項４】
前記位置情報は前記侵入の位置の地理的座標を含む、請求項１に記載のシステム。
【請求項５】
前記位置情報はモニタされる建物のレイアウトを含む、請求項１に記載のシステム。
【請求項６】
前記位置情報は前記モニタされる建物の前記レイアウト内部に前記侵入の前記位置を含む、請求項５に記載のシステム。
【請求項７】
前記位置情報は領域レイアウトを含む、請求項１に記載のシステム。
【請求項８】
前記位置情報は前記領域の前記レイアウト内部に前記侵入の前記位置を含む、請求項７に記載のシステム。
【請求項９】
前記位置情報は地図ディスプレイ及び前記地図ディスプレイ内部に前記侵入の特定位置を含む、請求項１に記載のシステム。
【請求項１０】
さらに信号表示器を含み、前記信号表示器は前記コントローラと通信するラジオを含み、そして前記コントローラからラジオを通して信号を受信することに応答して、前記信号表示器は前記ユーザに侵入を警告するために振動する、請求項１に記載のシステム。
【請求項１１】
前記コントローラは無線通信リンクを経由して前記信号表示器と通信する、請求項１０に記載のシステム。
【請求項１２】
前記コントローラは手首装着可能デバイスに収容される、請求項１に記載のシステム。
【請求項１３】
前記コントローラは個人用携帯情報端末に収容される、請求項１に記載のシステム。
【請求項１４】
前記コントローラはコンピュータに収容される、請求項１に記載のシステム。
【請求項１５】
前記少なくとも１つのセンサの第１のセンサ及び第２のセンサが連続して前記コントローラと関連している、請求項１に記載のシステム。
【請求項１６】
前記少なくとも１つのセンサは赤外線動作センサである、請求項１に記載のシステム。
【請求項１７】
前記侵入に関する情報は前記コントローラから遠隔モニタリング位置へ長距離ラジオを使用して送信される、請求項１に記載のシステム。
【請求項１８】
前記少なくとも１つのセンサ及び前記コントローラはセルラープロトコル、ブルートゥースプロトコル、ＺｉｇＢｅｅプロトコルの少なくとも１つと互換性がある、請求項１に記載のシステム。
【請求項１９】
少なくとも１つのセンサと、
前記少なくとも１つのセンサと通信するために適合され、ディスプレイスクリーンを有する無線装着可能コントローラと、を含み、
前記少なくとも１つのセンサは、前記侵入の時間情報及び位置情報を含む侵入情報を検出しそして前記コントローラへ無線送信し、そしてその報告に応答してユーザは前記侵入情報を前記ディスプレイスクリーン上で見られる、
侵入検出及び報告ネットワーク。
【請求項２０】
少なくとも１つのセンサをモニタ領域に配置するステップと、
前記モニタ領域において前記少なくとも１つのセンサで侵入を検出するステップと、
前記侵入についての時間情報及び位置情報を前記少なくとも１つのセンサからコントローラへ無線ラジオネットワーク経由で送信するステップと、
前記侵入に関係する時間情報及び位置情報をユーザへコントローラディスプレイ経由して表示するステップと、
を含む、侵入を検出し及び報告するための方法。
【発明の詳細な説明】
【技術分野】
【０００１】
関連出願
この特許出願は米国連邦法典第３５巻１１９条（ｅ）の下、米国仮特許出願番号６０／８７８，７７８へ優先権を主張しており、前記出願は２００７年１月４日に提出された。米国仮特許出願番号６０／８７８，７７８の全開示は、ここにおいて参照によって組み込まれる。
【０００２】
この発明は総じて侵入検出及び警告に関係する。さらに特に、この発明はネットワークベース侵入警告及び報告システム及び方法に関係する。
【背景技術】
【０００３】
セキュリティシステムは典型的に、自宅及び商業上の建物において、建物内部の人間への窃盗、損害及び危害を防止するために配備される。これらシステムは典型的に、中央コントローラへ通信する様々な警報部品を含む。センサのような、これら警報部品の１つが侵入を一度検出すると、そのセンサと関連する送信器は信号を中央コントローラへ送信する。中央コントローラはそのときユーザに侵入が発生したことを警告する。中央コントローラはユーザに侵入を、そのユーザの携帯電話を経由して警告することができる。中央コントローラは伝統的に、振動、繰返しノイズ、または閃光のような単純な視覚のいずれかによって、ユーザに警告する。
【０００４】
しかし、現在利用可能な監視ネットワークは、敵対する軍事環境のような適用のために望まれる情報を提供していない。軍事適用においては、監視下の領域内への侵入を単に警告されるだけでは十分でなく、ユーザはまた侵入の位置情報を知る必要がある。位置情報と共に、侵入者は正確に追跡され、そして必要ならば捕らえられることができる。この位置情報はホームセキュリティ、産業セキュリティ、及び刑務所の保護のような、さらに他の適用に対しても望ましくかつ有益である。
【発明の開示】
【発明が解決しようとする課題】
【０００５】
侵入の遠隔監視を提供する新しくかつ改良されたネットワークを提供することは非常に望ましい。このように、異なった位置における複数のセンサとコントローラとの間の新規かつ改良された通信ネットワークを提供することは非常に望ましく、その場合ネットワークは、離隔した遠隔地で侵入及び侵入情報を監視及び報告するために複数の検知ディスプレイ、信号、及びプロンプトを利用する。
【課題を解決するための手段】
【０００６】
領域における侵入を検出し、領域を監視しているユーザに侵入が発生した時を知らせ、そしてユーザに侵入の位置を知らせるために設計された侵入警告及び報告ネットワークを提供することによって、この発明は先行技術の多くの不利益を解消する。
【０００７】
侵入検出及び報告ネットワークは、ひとつまたは複数のセンサ及び遠隔コントローラを含む。ラジオネットワークを形成するために、ユーザはセンサをコントローラと関連付けるだろう。コントローラと関連する前に、ユーザは侵入検出が望まれる領域にセンサを配置するであろう。
【０００８】
センサが侵入を検出するとき、適切な信号がラジオネットワーク経由でコントローラへ送信される。コントローラと関連するディスプレイはユーザに、侵入に関係する詳細を見ることを許容する。これら詳細は侵入の時間及び位置に関する情報を含むことができ、及びそれらは視覚的、聴覚的、及び／または触覚的に伝達されることができる。
【０００９】
ディスプレイは対話式ディスプレイでよく、その場合ユーザはスクリーンオプションを初期スクリーンから選択することができる。スクリーンオプションは、例えば警報スクリーン、センサ追加スクリーン、コマンドスクリーン、またはネットワーク状態スクリーンである。警報スクリーンは最後の警報に関する情報を示し、及びユーザに侵入のイメージを見るためのイメージスクリーンをさらに選択することを許容することができる。センサ追加スクリーンはユーザにより多くのセンサをネットワークへ追加することを許容する。コマンドスクリーンはユーザにセンサの状態を変更することを許容する；センサはいくつかの異なるモードへ設定されることが可能である。例えば、センサの配置される特定領域が監視を必要とするかによって、センサはアクティブか非アクティブかのいずれかであろう。ネットワーク状態スクリーンは、センサの種類と同様に、各センサのために設定されたモード、各センサに残る電池の量、に関する情報をユーザに提供できる。もしセンサがイメージセンサか、またはイメージセンサを含むのならば、記録される視覚的イメージは送信され、そしてディスプレイ上で表示される。加えてコントローラは、ユーザに侵入を、振動信号表示器のような、多くのタイプの信号表示器のいずれかひとつで知らせることができる。
【００１０】
コントローラはラップトップまたはデスクトップコンピュータのような、コンピュータ内に収容されることができる。コントローラはまた、個人用携帯情報端末、または手首装着可能デバイス内部に収容されることができる。
【００１１】
侵入検出及び報告ネットワークは多くの実用的適用を持つことができる。例えば、侵入検出及び報告ネットワークは軍事、家庭、産業、企業、地域、または刑務所使用へ適用できる。
【発明を実施するための最良の形態】
【００１２】
ここに様々な実施形態が、以下の図面の参照と共に説明される。図面のある側面は、明瞭さのために簡略化された方法で描かれている。全ての代替及びオプションは図示されてなく、そこでこの発明の範囲は図面の内容に限定されない。
【００１３】
図１は、システムの１つの実施形態に従う侵入警告及び報告ネットワーク１０の機能ブロックダイアグラムを示している。侵入警告及び報告ネットワーク１０はひとつまたは複数のセンサ１２及びコントローラ１４を含む。ひとつまたは複数のセンサ１２のそれぞれは、センサラジオ１６を備えている。コントローラ１４は、コントローララジオ１８を備えている。ひとつまたは複数のセンサ１２の各センサは、モニタ領域２０の内部に配置され、かつラジオネットワーク２２を経由してコントローラ１４と通信する。コントローラ１４はディスプレイ２４を含んでも良い。
【００１４】
動作において、ラジオネットワーク２２を形成するために、ユーザはひとつまたは複数のセンサ１２をコントローラ１４と関連付けるだろう。コントローラ１４と関連する前後のどちらかに、侵入検出が望まれる領域に、ユーザはセンサを配置するであろう。侵入検出が望まれる各領域、すなわちモニタ領域２０は、ひとつまたは複数のセンサ１２のひとつのセンサによって監視される。ひとつまたは複数のセンサ１２の複数のセンサは、好ましくはコントローラ１４の通信範囲内に配置される。ひとつまたは複数のセンサ１２のひとつが侵入を検出すると、そのセンサは適切な信号を、ラジオネットワーク２２を経由してコントローラ１４へ送信する。コントローラ１４は、今度はユーザに、視覚的（ディスプレイ２４経由で）、聴覚的、及び／または触覚的に侵入を知らせる。
【００１５】
ディスプレイ２４は侵入の時間に関する情報を含む侵入についての詳細を示すことができる。ディスプレイ２４はまた、侵入の位置に関する情報を示すことができる。例えば、侵入の位置に関する詳細は地理的座標を含むことができる。もしモニタ領域２０が建物ならば、ディスプレイ２４は建物レイアウトを含む位置に関する詳細を示すことができ、及び建物レイアウト内部に侵入の特定位置をさらに示すことができる。代わりに、モニタ領域２０が屋外領域ならば、位置情報詳細は屋外領域レイアウトを含むことができ、及び指定された屋外領域内部に侵入の特定位置をさらに表示することができる。位置詳細は地図ディスプレイを含むことができ、侵入の位置は地図ディスプレイ上に強調される。もしセンサがイメージセンサであるか、またはイメージセンサを含むならば、記録される視覚イメージはまた送信され、ディスプレイ２４上で示されることができる。
【００１６】
ラジオネットワーク２２はひとつまたは複数のセンサ１２の各センサ及びコントローラ１４の内部の短距離ラジオから短距離通信ネットワークを形成するために構成される。もしラジオネットワーク２２が短距離通信ネットワークならば、約１００メートルまでの範囲内で動作できる。例として、ラジオネットワーク２２はＺｉｇＢｅｅ短距離ラジオネットワークであることができる。しかしながら、ラジオネットワーク２２は短距離ネットワークに限定されず、かつ長距離ネットワークを含むこともできる。ラジオネットワーク２２はまた、長距離ネットワークと通信する短距離ネットワークでもよく、コントローラ１４から遠隔モニタリング位置まで送られる侵入に関する情報を許容する。
【００１７】
ラジオネットワーク２２はまた、アドホックネットワークでよい。アドホックネットワークはセンサの異なる種類を適応させ、及びセンサの数量の変化する、コントローラ１４との通信を許容するための柔軟性のあるアーキテクチャを持つ。
【００１８】
コントローラ１４は多数の構成のいずれか１つに従って実現されることができる。１つの実施形態において、コントローラ１４はラップトップまたはデスクトップコンピュータのような、コンピュータの内部に収容されることができる。代わりに、コントローラ１４は個人用携帯情報端末（「ＰＤＡ」）のような、ハンドヘルドコンピュータでもよい。コントローラ１４は堅牢ＰＤＡ（「ＲＰＤＡ」）でもよく、それは困難且つ危険な環境のために強化されたケースを有する。コントローラ１４は装着可能な、手首装着用コントローラでもよい。この実施形態において、ユーザは単にコントローラ１４を自分の手首へ、図２に示されるような、ストラップ２６で取り付ける。ユーザはそのとき、侵入に関する情報を手首装着用コントローラディスプレイ２８経由で見ることができる。
【００１９】
位置情報を提供することに加え、コントローラ１４はユーザに侵入を警告するために振動することができる。この実施形態において、振動信号表示器が含まれても良く、そしてコントローラはユーザに侵入が発生したことをさらに警告するため、振動信号表示器をオンにすることができる。
【００２０】
ひとつまたは複数のセンサ１２は赤外線動作センサでもよい。赤外線動作センサは、人間または動物から放射される赤外線エネルギーの変化を検出することによって、人間または動物の身体の運動を検出する。代わりに、ひとつまたは複数のセンサ１２は、現在当技術分野で知られているいくつかの他のセンサでもよい。ひとつまたは複数のセンサ１２の各センサはさらに、侵入が検出された場合ノイズを生成するために構成されることができる。センサから発する警報ノイズが所望される状況は、例えば侵入者が放射性地帯に入るような、危険領域の侵入者に警告する場合であろう。
【００２１】
ひとつまたは複数のセンサ１２は、図３において示されるように連続して配置されることがある。この実施形態において、最初のセンサ３０は第２のセンサ３２と通信においてリンクされている。第２のセンサ３２は第３のセンサ３４と通信においてリンクされている。図３は３つのセンサのみを示しているが、多くの他の数のセンサ構成が使用されることができる。
【００２２】
第１のセンサ３０は第１のラジオネットワーク５２を通して第２のセンサ３２と通信する。第２のセンサ３２は第２のラジオネットワーク５４を通して第３のセンサ３４と通信し、そして第３のセンサ３４はラジオネットワーク５６を通してコントローラ１４と通信する。もし第１のセンサ３０が侵入を検出したならば、第１のセンサ３０は信号を第２のセンサ３２へ送り、第２のセンサ３２は信号を第３のセンサ３４へ送り、そして第３のセンサは信号をコントローラ１４へ送ることができる。このようにこの実施形態において、コントローラ１４は３００メートルまで第１のセンサ３０から離れることが可能であり、それでもなお依然として第１のセンサ３０を取り囲む領域をモニタすることが可能である。これらセンサを連続して構成することによって、センサはコントローラ１４と、いずれかのただ１つのセンサが到達可能であるよりも広い領域上で通信することができる。
【００２３】
図４は図１のシステムにおけるコントローラ１４によって実行されることができる様々な機能を示す。ディスプレイ２４はコントロール及びディスプレイスクリーン３６を示すことができる。コントロール及びディスプレイスクリーン３６は複数のスクリーンオプション３８を示すことができる。４つのスクリーンオプションが図４において示されているが、コントロール及びディスプレイスクリーン３６は４つのスクリーンオプションに限定されず、及びいくつかの他のスクリーンオプションは存在することができる。ユーザは複数のスクリーンオプション３８の１つをコントロール及びディスプレイスクリーン３６から選択できる。図４において示される複数のスクリーンオプションは、警報スクリーン３８ａ、センサ追加スクリーン３８ｂ、コマンドスクリーン３８ｃ、及びネットワーク状態スクリーン３８ｄである。これら特定のスクリーンオプションのみ示されるが、ディスプレイはこれら特定のオプションに限定されず、及び他のオプションは含まれまたは代用されることができる。
【００２４】
一度ユーザがスクリーンオプションを選択すると、ユーザインターフェーススクリーン４０がディスプレイ２４上に現れるだろう。図５は、図４のコントローラ１４のディスプレイ２４上に表示されることができる、様々な典型的ユーザインターフェーススクリーン４０を示している。図５はセンサ追加スクリーン４０ａ、警報スクリーン４０ｂ、コマンドスクリーン４０ｃ、ネットワーク状態スクリーン４０ｄ、及びイメージスクリーン４０ｅを示す。前述されたように、センサ追加スクリーン４０ａ、警報スクリーン４０ｂ、コマンドスクリーン４０ｃ、及びネットワーク状態スクリーン４０ｄは、コントロール及びディスプレイスクリーン３６から選択されることができる。イメージスクリーン４０ｅは警報スクリーン４０ｂから選択されることができる。代わりにイメージスクリーン４０ｅは、異なるスクリーンから選択されることができる。
【００２５】
警報スクリーン４０ｂは最後の侵入警報に関する情報を示すことができ、及びユーザに、侵入の静止イメージ、または記録された若しくはストリーミングどちらかのビデオを見るために、イメージスクリーン４０ｅをさらに選択することを許容する。警報スクリーン４０ｂはまた、以前に議論された侵入の位置情報のいずれかへのアクセスを示すこと、または提供することができる。
【００２６】
センサ追加スクリーン４０ａは、ユーザにより多くのセンサをネットワークへ追加することを許容する。
コマンドスクリーン４０ｃは、ユーザにセンサの状態を変更することを許容する；センサはいくつかの異なるモードへ設定されることが可能だろう。センサの配置される特定領域が監視を必要とするかに応じて、例えばセンサはアクティブか非アクティブかのどちらかであることが可能であろう
ネットワーク状態スクリーン４０ｄはユーザに、各センサのために設定されるモード、各センサにおける残るバッテリーの量、同じくセンサの種類に関する情報を提供することができる。
【００２７】
この発明は詳細に、好ましい実施形態への参照と共に説明されてきたが、他の実施形態が同様の結果を達成することは可能である。この発明の変形及び変更は当業者には明らかであろう、及び添付の特許請求の範囲には、全てのそのような変更及び均等物を包含するように意図されている。上記に引用されている全ての参照、適用、特許、及び出版物の全開示は、これによって参照により組み込まれている。
【図面の簡単な説明】
【００２８】
【図１】この発明の１つの実施形態に従う侵入検出及び報告システムの機能ブロックダイアグラムである。
【図２】手首装着可能コントローラの実施形態を描写している。
【図３】侵入検出及び報告システムのセンサが連続して配置される、図１の実施形態を示している。
【図４】図１のシステムにおいて、コントローラによって実現されることができる様々な機能を示している。
【図５】図４のコントローラのディスプレイスクリーン上で表示されることができる、様々なユーザインターフェーススクリーンを示している。
【符号の説明】
【００２９】
１０  侵入警告及び報告ネットワーク
１２  センサ
１４  コントローラ
１６  センサラジオ
１８  コントローララジオ
２０  モニタ領域
２２  ラジオネットワーク
２４  ディスプレイ
２６  ストラップ
２８  手首にマウントされるコントローラディスプレイ
３０  第１のセンサ
３２  第２のセンサ
３４  第３のセンサ
３６  コントロール及びディスプレイスクリーン
３８  複数のスクリーンオプション
３８ａ  警報スクリーン
３８ｂ  センサ追加スクリーン
３８ｃ  コマンドスクリーン
３８ｄ  ネットワーク状態スクリーン
４０  ユーザインターフェーススクリーン
４０ａ  センサ追加スクリーン
４０ｂ  警報スクリーン
４０ｃ  コマンドスクリーン
４０ｄ  ネットワーク状態スクリーン
４０ｅ  イメージスクリーン
５２  第１のラジオネットワーク
５４  第２のラジオネットワーク
５６  ラジオネットワーク
【図１】
2008293471.tif 000003
【図２】
2008293471.tif 000004
【図３】
2008293471.tif 000005
【図４】
2008293471.tif 000006
【図５】
2008293471.tif 000007
【外国語明細書】
2008293471000001.pdf